(57)【要約】【課題】複数の椅子を一箇所に効果的に配置することによりオフィスなどにおける省スペース化を図った家具を提供する。【解決手段】天板２０と天板２０の略中央に脚２１を有する机２と、天板２０の下方に収納可能であり、一方に長い四角形である平面視同形状の４つの椅子３，３，…と、からなる家具であり、４つの椅子３，３，…はその机２の下方への収納時に、短辺αを有する面と長辺βを有する面とを面一に当接させるとともに、その短辺αと長辺βとを直線上に合わせることで机２の脚２１１，２１１…を取り囲む略正方形となる。【選択図】図３
2014090859.tif 000002
【特許請求の範囲】
【請求項１】
天板と該天板の略中央に脚を有する机と、前記天板の下方に収納可能であり、一方に長い四角形である平面視同形状の４つの椅子と、からなる家具であり、
前記椅子はその収納時に、短辺を有する面と長辺を有する面とを面一に当接させるとともに、その短辺と長辺とを直線上に合わせることで前記机の脚を取り囲む略正方形となることを特徴とする家具。
【請求項２】
前記椅子は、その四隅にキャスタをそれぞれ備え、前記机の脚は前記天板の略中央から床面に向けて鉛直に延びるとともに、下端には４方向へ放射状にそれぞれ延出する接地脚を備えることを特徴とする請求項１に記載の家具。
【請求項３】
前記机の接地脚が、前記椅子の収納時の全体形状における略正方形の角部にそれぞれ配置される前記キャスタに当接しない寸法であることを特徴とする請求項２に記載の家具。
【請求項４】
前記机の接地脚と、前記椅子の底面と、が当接しないように高さがそれぞれ設計されていることを特徴とする請求項２または３のいずれかに記載の家具。
【発明の詳細な説明】
【技術分野】
【０００１】
本発明は、天板と脚とを有する机と複数の椅子とからなる家具に関する。
【背景技術】
【０００２】
従来、略立方体形状であり、底部にキャスタを有して移動自在とした椅子が知られており（例えば、特許文献１参照）、オフィスなどで机の周囲にこのような椅子を複数個配置して複数人が利用する作業用の家具を構成したものがある。
【先行技術文献】
【特許文献】
【０００３】
【特許文献１】特開２００５−４６２５１号公報（第４頁、第１図）
【発明の概要】
【発明が解決しようとする課題】
【０００４】
しかしながら、特許文献１にあるような家具にあっては、その椅子の汎用性から室内における様々な場所に椅子を移動させて使用されることが多く、そのため椅子が室内に散乱して、邪魔になってしまうという問題があった。
【０００５】
本発明は、このような問題点に着目してなされたもので、複数の椅子を一箇所に効果的に配置することによりオフィスなどにおける省スペース化を図った家具を提供することを目的とする。
【課題を解決するための手段】
【０００６】
前記課題を解決するために、本発明の家具は、
天板と該天板の略中央に脚を有する机と、前記天板の下方に収納可能であり、一方に長い四角形である平面視同形状の４つの椅子と、からなる家具であり、
前記椅子はその収納時に、短辺を有する面と長辺を有する面とを面一に当接させるとともに、その短辺と長辺とを直線上に合わせることで前記机の脚を取り囲む略正方形となることを特徴としている。
この特徴によれば、平面視同形状の４つの椅子は収納時に、短辺を有する面と長辺を有する面とを面一に当接させるとともに、その短辺と長辺とを直線上に合わせることで机の脚を取り囲む略正方形となるため、椅子は不使用時には一箇所に効果的にまとめることができ、室内の省スペース化を達成することができる。また収納時の椅子の形状が机を中心とした略正方形となることから美観に優れる。
【０００７】
前記椅子は、その四隅にキャスタをそれぞれ備え、前記机の脚は前記天板の略中央から床面に向けて鉛直に延びるとともに、下端には４方向へ放射状にそれぞれ延出する接地脚を備えることを特徴としている。
この特徴によれば、椅子は四隅に設けられたキャスタによって滑らかに移動させることができるとともに、前記キャスタが机の接地脚に当たることで収納時における椅子の設置位置の目安とすることできる。
【０００８】
前記机の接地脚が、前記椅子の収納時の全体形状における略正方形の角部にそれぞれ配置される前記キャスタに当接しない寸法であることを特徴としている。
この特徴によれば、机の接地脚が収納時の全体形状におけるそれぞれの角部に配置される椅子のキャスタの邪魔にならず、椅子の全体形状を正確な略正方形とすることができる。
【０００９】
前記机の接地脚と、前記椅子の底面と、が当接しないように高さがそれぞれ設計されていることを特徴としている。
この特徴によれば、椅子が机の接地脚の上を通過可能であるため、使用時及び収納時における椅子の移動を大変容易に行うことができる。
【図面の簡単な説明】
【００１０】
【図１】実施例における家具を示す斜視図である。
【図２】同じく家具を示す側面図である。
【図３】同じく家具を示す平面図である。
【図４】椅子の収納手順のうち１つ目の椅子の収納を示す一部拡大図である。
【図５】椅子の収納手順のうち２つ目の椅子の収納を示す一部拡大図である。
【発明を実施するための形態】
【００１１】
本発明に係る家具を実施するための形態を実施例に基づいて以下に説明する。
【実施例】
【００１２】
図１の符号１は、本発明の適用された主にオフィス等で使用される家具であり、机２と椅子３，３，…とにより主に構成されている。先ず机２について説明する。机２は平面視略正方形の天板２０（図４参照）と、その天板２０を支持する略コ字状の脚２１，２１，…とにより主に構成されている。
【００１３】
尚、天板２０の略中央には、ここでは詳述しないが当該天板２０を貫通する開口及びそのカバー２０ａが設けられており、机上の電化製品の電源ケーブル等を通す際に利用できるようになっている。
【００１４】
図１及び図２に示されるように、天板２０を支持する略コ字状の脚２１，２１，…は中空の基杆部２１ａ、及び基杆部２１ａの上端よりアーム部２１０，下端より接地脚２１１をそれぞれ突出するいわゆるＬ脚となっており、アーム部２１０はここでは図示しないボルトにより天板２０の底面に対しそれぞれ固着されるようになっている。尚、アーム部２１０，２１０，…は、机２の強度を高めるために、その突出方向を天板の角部に向けて天板２０にそれぞれ固着されることが望ましい。
【００１５】
また、接地脚２１１，２１１，…は接地部にゴム足６０，６０，…をそれぞれ複数個設けて、床の保護及び滑り止めがなされている。
【００１６】
次に椅子３ついて図１から図３を用いて説明すると、椅子３は直方体の基部３０と、基部３０の上面にボルト等により固着されたクッション部３１とから主に構成されており、後述する基部３０の下板３０ｂの四隅にそれぞれ設けられたキャスタ５０，５０，…により滑らかに移動自在となっている。
【００１７】
また、図１及び図３に示されるように、基部３０は上板３０ａと下板３０ｂとの間に設けられた平面視略コ字状の仕切材３０ｃと、長手方向における仕切材３０ｃの反対側に配置した支持板３０ｄと、を挟み込んでそれぞれ固着することによって形成されている。そして、仕切材３０ｃで仕切られた空間を、例えば鞄などを収納する収納部Ａとして、また仕切材３０ｃと支持板３０ｄとの間の空間を収納部Ｂとして利用可能となっている。
【００１８】
また、図３に示されるように椅子３は、使用時には机２の辺の中央に配置されて机２上を広々と利用でき（図１参照）、収納時には、複数の椅子３，３，…全てを天板の脚を中心に近接させることで全体の平面視形状が机２の形状、すなわち正方形となるようになっている。更に、椅子３の短辺αと長辺βの寸法の和が、机２の天板２０の１辺の寸法γよりも若干短く設計されており、椅子３は収納時において天板２０よりはみ出すことが無い。
【００１９】
また椅子３の収納時には、机２の接地脚２１１，２１１，…が、椅子３の収納時の全体形状における角部にそれぞれ配置されるキャスタ５０，５０，５０，５０に当接しない寸法に設計されて、机２の接地脚２１１，２１１，…が椅子３の収納の邪魔にならないようになっている。
【００２０】
尚、図２に示されるように、椅子３の下板３０ｂは、定番椅子３のキャスタ５０の高さ分上方に位置するようになっており、椅子３の収納時に下板３０ｂが前記机２の接地脚２１１の高さ寸法より上方に位置するよう設計されている。
【００２１】
次に椅子３の効率的な収納手順を図３から図５を用いて説明する。尚、ここでは初めに収納する椅子として椅子３Ａを選択した場合を例に取り説明する。先ず図４（ａ）に示されるように、利用者は１つ目の椅子３Ａを接地脚２１１Ａ側に移動させ、更に脚２１側に椅子３を押し込んでキャスタ５０Ａと５０Ｂとの間に接地脚２１１Ａが入るように移動させる。
【００２２】
続いて図４（ｂ）に示されるように、椅子３Ａを接地脚２１１Ｂ側に移動させていき、接地脚２１１Ｂにキャスタ５０Ａを当接させ、この当接をもって椅子３の設置位置と目安とする。こうして収納時における基準となる１つ目の椅子３の設置位置を大まかに決め、後に収納する椅子３の配置を簡便にすることができる。
【００２３】
そして利用者は、こうして１つ目の椅子３Ａの設置位置を大まかに設定した後、図５に示されるように、１つ目の椅子３Ａの長辺寸法βを有する面と、２つ目の椅子３Ｂの短辺寸法αを有する面と、を近接させるとともに、１つ目の椅子３Ａの短辺寸法αを有する面と、２つ目の椅子３Ｂの長辺寸法βを有する面と、が面一になるまで椅子３Ｂを移動させて２つ目の椅子３Ｂの配置を完了する。更に上述した２つ目の椅子３Ｂと同様に３つ目，４つ目の椅子を配置していくことで、整った形状に椅子３，３，…をまとめることができる。
【００２４】
尚、椅子Ａ，Ｂ同士は、それぞれ上板３０ａ及び下板３０ｂ同士を近接させるようになっているが、例えば仕切材３０ｃ及び支持板３０ｄを上板３０ａ及び下板３０ｂの縁部より外側に突出するように設計して、仕切材３０ｃ及び支持板３０ｄを当接させるように設計してもよい。
【００２５】
更に尚、椅子３Ａを初めに収納する椅子として選択した場合を例に取り説明したが、初めに収納する椅子はどれを選んでもよいばかりか、１つずつ収納を行う態様でなくともよく、全ての椅子３，３，…を大まかに並べた後に整えても良い。また、椅子の並びはこれまで図示されている方向に限らず、机の脚２１，２１，…を中心として逆周りに組み合わされて収納されてもよいことは言うまでもない。
【００２６】
以上説明したように、本発明の家具１は、複数の椅子３，３，…はその机２の下方への収納時に、短辺寸法αを有する面と長辺寸法βを有する面とを面一に当接させるとともに、その短辺と長辺とを直線上に合わせることで机２の脚２１１，２１１…を取り囲む略正方形となるため、椅子３，３，…は不使用時には机２の周辺に一箇所に効果的にまとめることができ、室内の省スペース化を達成することができる。また収納時の椅子３，３，…の形状が机を中心とした略正方形となることから美観に優れる。
【００２７】
また、机２の接地脚２１１と、椅子３の底面と、が当接しないように高さがそれぞれ設計されているため椅子３が机の接地脚２１１の上を通過可能であり、使用時及び収納時における椅子３の移動を大変容易に行うことができる。
【００２８】
以上、本発明の実施例を図面により説明してきたが、具体的な構成はこれら実施例に限られるものではなく、本発明の要旨を逸脱しない範囲における変更や追加があっても本発明に含まれる。
【００２９】
例えば、前記実施例では、利用者はキャスタ５０を接地脚２１１の側面に案内させながら椅子３を脚２１の基杆部２１ａに近接させて、収納時における椅子３の設置位置の目安とする態様で説明したが、これに限らず、例えば椅子３の隅の底面にキャスタ５０の邪魔にならない高さでガイドポールを設けて、このガイドポールを接地脚２１１に当接させることで椅子３の設置位置の目安とするようにしてもよい。
【００３０】
また、椅子３の収納完了時すなわち椅子３，３，…の全体形状が略正方形となった際に、４つの椅子３，３，…の長手方向の面が机の脚２１，２１，…の基杆部２１ａ，２１ａ，…にそれぞれ当接するように設計してもよく、これによれば、例えば図４（ｂ）のように椅子３Ａを接地脚２１１Ｂ側に移動させる際に、椅子３Ａの長手方向の面が机の脚２１の基杆部２１ａに当接して椅子３が所定の位置に位置決めされるため、収納時における椅子３の設置位置を確定でき、椅子３，３，…の収納を確実にかつ簡便に完了することができる。
【００３１】
また、収納時における椅子３の全体形状は机２の天板２０の寸法と同寸若しくは若干大きく形成されていても良い。
【００３２】
また、机２の脚２１は、収納時における椅子３の全体形状の空洞部分の４隅にそれぞれ位置するように複数の脚２１，２１，…を所定距離離間した設計となっているが、これに限らず、収納時における椅子３の全体形状の空洞部分に配置可能であれば、脚２１，２１，…の離間距離は限定されるものではない。そればかりか、脚２１はその形状も多岐にわたり設計可能であり、例えば基杆部２１ａ，２１ａ…をまとめて断面視略矩形状の１本の杆状に形成してもよい。
【００３３】
また、前記実施例では、椅子３，３，…の形状は全て同一の形状で説明されているが、椅子３，３，…は平面視形状が同一であれば側面視形状は必ずしも同一でなくとも構わない。
【００３４】
また、椅子３の底部には必ずしもキャスタ５０を設けずともよく、前記脚２１の接地脚２１１に椅子３の底面が当たらない高さの杆状の足を代わりに用いてもよい。
【００３５】
また、机２における天板の形状は正円もしくは正多角形であってもよく、収納時の椅子の形状も同様に正方形に限らず、正円もしくは正多角形であってもよい。
【符号の説明】
【００３６】
１                家具
２                机
３                椅子
２０              天板
２０ａ            カバー
２１              脚
２１ａ            基杆部
３０              基部
３０ａ            上板
３０ｂ            下板
３０ｃ            仕切材
３０ｄ            支持板
３１              クッション部
５０              キャスタ
６０              ゴム足
２１０            アーム部
２１１            接地脚
Ａ，Ｂ            収納部
【図１】
2014090859.tif 000003
【図２】
2014090859.tif 000004
【図３】
2014090859.tif 000005
【図４】
2014090859.tif 000006
【図５】
2014090859.tif 000007